【手続補正書】
【提出日】令和3年3月3日(2021.3.3)
【手続補正１】
【補正対象書類名】明細書
【補正対象項目名】発明の名称
【補正方法】変更
【補正の内容】
【発明の名称】制御装置及びその制御方法、並びにプログラム
【手続補正２】
【補正対象書類名】明細書
【補正対象項目名】０００１
【補正方法】変更
【補正の内容】
【０００１】
本発明は、制御装置及びその制御方法、並びにプログラムに関する。
【手続補正３】
【補正対象書類名】明細書
【補正対象項目名】０００６
【補正方法】変更
【補正の内容】
【０００６】
本発明の目的は、操作部の表示が煩雑になるのを防止することができる制御装置及びその制御方法、並びにプログラムを提供することにある。
【手続補正４】
【補正対象書類名】明細書
【補正対象項目名】０００７
【補正方法】変更
【補正の内容】
【０００７】
上記目的を達成するために、本発明の制御装置は、アプリケーションをインストール可能な制御装置であって、前記アプリケーションを実行する操作を受け付ける表示項目に関連付けて印刷設定を登録する登録手段と、前記制御装置の操作部に、前記表示項目を表示する制御を行う表示制御手段と、前記表示項目に対する操作に従って、所定の記憶領域に記憶されているデータから選択された印刷データを前記印刷設定に基づいて印刷する印刷手段とを備え、前記表示制御手段は、前記アプリケーションを使った印刷が可能なデータが前記所定の記憶領域に記憶されている場合、前記操作部に前記表示項目を表示するように制御し、前記アプリケーションを使った印刷が可能なデータが前記所定の記憶領域に記憶されていない場合、前記操作部に前記表示項目を表示しないように制御することを特徴とする。
【手続補正５】
【補正対象書類名】特許請求の範囲
【補正対象項目名】全文
【補正方法】変更
【補正の内容】
【特許請求の範囲】
【請求項１】
アプリケーションをインストール可能な制御装置であって、
前記アプリケーションを実行する操作を受け付ける表示項目に関連付けて印刷設定を登録する登録手段と、
前記制御装置の操作部に、前記表示項目を表示する制御を行う表示制御手段と、
前記表示項目に対する操作に従って、所定の記憶領域に記憶されているデータから選択された印刷データを前記印刷設定に基づいて印刷する印刷手段とを備え、
前記表示制御手段は、前記アプリケーションを使った印刷が可能なデータが前記所定の記憶領域に記憶されている場合、前記操作部に前記表示項目を表示するように制御し、前記アプリケーションを使った印刷が可能なデータが前記所定の記憶領域に記憶されていない場合、前記操作部に前記表示項目を表示しないように制御することを特徴とする制御装置。
【請求項２】
前記操作部への前記表示項目の表示に関連する１つ以上の条件をユーザに設定させる設定手段を更に備えることを特徴とする請求項１記載の制御装置。
【請求項３】
前記表示制御手段は、ユーザに指定され且つ他の表示項目に関連付けられた特定データが前記所定の記憶領域に記憶されている場合、前記他の表示項目を前記操作部に表示するように制御し、前記特定データが前記所定の記憶領域に記憶されていない場合、前記他の表示項目を前記操作部に表示しないように制御することを特徴とする請求項１又は２記載の制御装置。
【請求項４】
前記表示制御手段は、前記アプリケーションの実行に必要となるデータがユーザに指定された外部装置から削除された際に前記表示項目を前記操作部に表示しないように制御することを特徴とする請求項１乃至３のいずれか１項に記載の制御装置。
【請求項５】
アプリケーションをインストール可能な制御装置であって、
前記アプリケーションを実行する操作を受け付ける表示項目に関連付けて印刷設定を登録する登録手段と、
前記制御装置の操作部に、前記表示項目を表示する制御を行う表示制御手段と、
前記表示項目に対する操作に従って、所定の記憶領域に記憶されているデータから選択された印刷データを前記印刷設定に基づいて印刷する印刷手段とを備え、
前記表示制御手段は、前記表示項目の操作に基づく印刷の実行回数が所定の回数未満である場合、前記操作部に前記表示項目を表示するように制御し、前記表示項目の操作に基づく印刷の実行回数が所定の回数に達した場合、前記操作部に前記表示項目を表示しないように制御することを特徴とする制御装置。
【請求項６】
帳票印刷を行う印刷装置であることを特徴とする請求項１乃至５のいずれか１項に記載の制御装置。
【請求項７】
対応する複数の表示項目が表示される複数表示項目表示アプリケーションがインストールされた場合、前記表示制御手段は、前記複数表示項目表示アプリケーションに対応する各前記表示項目を表示するか否かをそれぞれ制御することを特徴とする請求項１乃至６のいずれか１項に記載の制御装置。
【請求項８】
前記アプリケーションは前記アプリケーションの実行指示を前記アプリケーションに対応する表示項目のワンタッチ操作で受け付ける機能を備えることを特徴とする請求項１乃至７のいずれか１項に記載の制御装置。
【請求項９】
アプリケーションをインストール可能な制御装置の制御方法であって、
前記アプリケーションを実行する操作を受け付ける表示項目に関連付けて印刷設定を登録する登録ステップと、
前記制御装置の操作部に、前記表示項目を表示する制御を行う表示制御ステップと、
前記表示項目に対する操作に従って、所定の記憶領域に記憶されているデータから選択された印刷データを前記印刷設定に基づいて印刷する印刷ステップとを有し、
前記表示制御ステップは、前記アプリケーションを使った印刷が可能なデータが前記所定の記憶領域に記憶されている場合、前記操作部に前記表示項目を表示するように制御し、前記アプリケーションを使った印刷が可能なデータが前記所定の記憶領域に記憶されていない場合、前記操作部に前記表示項目を表示しないように制御することを特徴とする制御装置の制御方法。
【請求項１０】
前記操作部への前記表示項目の表示に関連する１つ以上の条件をユーザに設定させる設定ステップを更に有することを特徴とする請求項９記載の制御装置の制御方法。
【請求項１１】
前記表示制御ステップは、ユーザに指定され且つ他の表示項目に関連付けられた特定データが前記所定の記憶領域に記憶されている場合、前記他の表示項目を前記操作部に表示するように制御し、前記特定データが前記所定の記憶領域に記憶されていない場合、前記他の表示項目を前記操作部に表示しないように制御することを特徴とする請求項９又は１０記載の制御装置の制御方法。
【請求項１２】
前記表示制御ステップは、前記アプリケーションの実行に必要となるデータがユーザに指定された外部装置から削除された際に前記表示項目を前記操作部に表示しないように制御することを特徴とする請求項９乃至１１のいずれか１項に記載の制御装置の制御方法。
【請求項１３】
アプリケーションをインストール可能な制御装置の制御方法であって、
前記アプリケーションを実行する操作を受け付ける表示項目に関連付けて印刷設定を登録する登録ステップと、
前記制御装置の操作部に、前記表示項目を表示する制御を行う表示制御ステップと、
前記表示項目に対する操作に従って、所定の記憶領域に記憶されているデータから選択された印刷データを前記印刷設定に基づいて印刷する印刷ステップとを有し、
前記表示制御ステップは、前記表示項目の操作に基づく印刷の実行回数が所定の回数未満である場合、前記操作部に前記表示項目を表示するように制御し、前記表示項目の操作に基づく印刷の実行回数が所定の回数に達した場合、前記操作部に前記表示項目を表示しないように制御することを特徴とする制御装置の制御方法。
【請求項１４】
前記制御装置は、帳票印刷を行う印刷装置であることを特徴とする請求項１３記載の制御装置の制御方法。
【請求項１５】
対応する複数の表示項目が表示される複数表示項目表示アプリケーションがインストールされた場合、前記表示制御ステップは、前記複数表示項目表示アプリケーションに対応する各前記表示項目を表示するか否かをそれぞれ制御することを特徴とする請求項９乃至１４のいずれか１項に記載の制御装置の制御方法。
【請求項１６】
前記アプリケーションは前記アプリケーションの実行指示を前記アプリケーションに対応する表示項目のワンタッチ操作で受け付ける機能を備えることを特徴とする請求項９乃至１５のいずれか１項に記載の制御装置の制御方法。
【請求項１７】
アプリケーションをインストール可能な制御装置の制御方法をコンピュータに実行させるプログラムであって、
前記制御装置の制御方法は、
前記アプリケーションを実行する操作を受け付ける表示項目に関連付けて印刷設定を登録する登録ステップと、
前記制御装置の操作部に、前記表示項目を表示する制御を行う表示制御ステップと、
前記表示項目に対する操作に従って、所定の記憶領域に記憶されているデータから選択された印刷データを前記印刷設定に基づいて印刷する印刷ステップとを有し、
前記表示制御ステップは、前記アプリケーションを使った印刷が可能なデータが前記所定の記憶領域に記憶されている場合、前記操作部に前記表示項目を表示するように制御し、前記アプリケーションを使った印刷が可能なデータが前記所定の記憶領域に記憶されていない場合、前記操作部に前記表示項目を表示しないように制御することを特徴とするプログラム。
【請求項１８】
アプリケーションをインストール可能な制御装置の制御方法をコンピュータに実行させるプログラムであって、
前記制御装置の制御方法は、
前記アプリケーションを実行する操作を受け付ける表示項目に関連付けて印刷設定を登録する登録ステップと、
前記制御装置の操作部に、前記表示項目を表示する制御を行う表示制御ステップと、
前記表示項目に対する操作に従って、所定の記憶領域に記憶されているデータから選択された印刷データを前記印刷設定に基づいて印刷する印刷ステップとを有し、
前記表示制御ステップは、前記表示項目の操作に基づく印刷の実行回数が所定の回数未満である場合、前記操作部に前記表示項目を表示するように制御し、前記表示項目の操作に基づく印刷の実行回数が所定の回数に達した場合、前記操作部に前記表示項目を表示しないように制御することを特徴とするプログラム。